(57)【特許請求の範囲】
【請求項１】
光源部と、
前記光源部を保持し、内周面に一対の突起部が形成された筐体と、
前記筐体を取付対象物に取り付けるための取付金具と
を備え、
前記取付金具は、
弾性変形可能な一対の係合部と、
前記一対の係合部と接続する接続部と
を有し、
前記筐体は前記取付金具に対して着脱可能であり、
前記筐体を前記取付金具から離脱する際、前記一対の係合部は前記一対の突起部に押されて弾性変形し、
前記接続部には少なくとも１つの貫通孔が形成されており、
前記貫通孔は、対角線上に配置される一対の貫通孔を含む、照明器具。
【請求項２】
前記一対の係合部のそれぞれは、
前記接続部から起立する起立部と、前記起立部と接続する突出部と、前記突出部と接続する折返し部とを有し、
一対の前記突出部は、互いに離れる方向に前記起立部から前記折返し部に向けて延びており、
一対の前記折返し部は、互いに近づく方向に前記突出部から延びており、
前記筐体が前記取付金具に取り付けられている取付状態において、前記折返し部は前記突起部に接触する、請求項１に記載の照明器具。
【請求項３】
前記接続部と一方の前記起立部との交線と、前記接続部と他方の前記起立部との交線との間隔は、前記一対の突起部の間隔よりも短く、
一方の前記突出部と一方の前記折返し部との交線と、他方の前記突出部と他方の前記折返し部との交線との間隔は、前記一対の突起部の間隔よりも長い、請求項２に記載の照明器具。
【請求項４】
前記係合部には開口が形成されている、請求項１から請求項３のいずれか１項に記載の照明器具。
【請求項５】
前記接続部には切欠きが形成されている、請求項１から請求項４のいずれか１項に記載の照明器具。
【請求項６】
前記筐体に取り付けるための前記取付金具を前記取付対象物へ取り付ける追加取付金具をさらに備え、
前記追加取付金具は、
前記取付対象物に固定可能である第１固定部と、
前記取付対象物に固定可能である第２固定部と、
前記第２固定部から起立する補助起立部と、
前記第１固定部および前記補助起立部と接続し、前記第１固定部に対して傾斜している傾斜部と
を有し、
前記取付金具は、前記傾斜部に取り付けられる、請求項１から請求項５のいずれか１項に記載の照明器具。
【請求項７】
前記追加取付金具の前記傾斜部は、少なくとも１つの突起を有し、
前記取付金具の前記接続部は、前記少なくとも１つの突起に嵌合する嵌合孔を有する、請求項６に記載の照明器具。
【請求項８】
前記取付金具の前記接続部は、少なくとも１つの突起を有し、
前記追加取付金具の前記傾斜部は、前記少なくとも１つの突起に嵌合する嵌合孔を有する、請求項６に記載の照明器具。
【請求項９】
内周面に一対の突起部が形成された筐体を有する照明器具を取付対象物に取り付ける取付金具であって、
弾性変形可能な一対の係合部と、
前記一対の係合部と接続する接続部と
を備え、
前記筐体に対して着脱可能であり、
前記筐体から離脱する際、前記係合部は前記突起部に押されて弾性変形し、
前記接続部には少なくとも１つの貫通孔が形成されており、
前記貫通孔は、対角線上に配置される一対の貫通孔を含む、取付金具。
【請求項１０】
内周面に一対の突起部が形成された筐体を有する照明器具を取付対象物に取り付ける取付金具セットであって、
取付金具と、追加取付金具とを備え、
前記取付金具は、
弾性変形可能な一対の係合部と、
前記一対の係合部と接続する接続部と
を有し、
前記追加取付金具は、
前記取付対象物に固定可能である第１固定部と、
前記取付対象物に固定可能である第２固定部と、
前記第２固定部から起立する補助起立部と、
前記第１固定部および前記補助起立部と接続し、前記第１固定部に対して傾斜している傾斜部と
を有し、
前記筐体は前記取付金具に対して着脱可能であり、
前記筐体を前記取付金具から離脱する際、前記係合部は前記突起部に押されて弾性変形し、
前記取付金具は、前記傾斜部に取り付けられる、取付金具セット。
【発明の詳細な説明】
【技術分野】
【０００１】
本発明は、照明器具、取付金具および取付金具セットに関する。
【背景技術】
【０００２】
従来、筐体を固定具を用いて固定する照明器具が知られている（例えば、特許文献１）。特許文献１に記載の線状照明装置は、保持部材によって長尺ケースを保持することによって照明装置を設置場所に取り付けている。特許文献１に記載の線状照明装置では、長尺ケースに設けられた溝と、保持部材に設けられた突起とが嵌合することによって、高い保持力が得られる。
【先行技術文献】
【特許文献】
【０００３】
【特許文献１】特開２０１０−４９９０２号公報
【発明の概要】
【発明が解決しようとする課題】
【０００４】
しかしながら、特許文献１に記載の線状照明装置では、保持部材は長尺ケースを外側から挟んで保持するため、保持部材が線状照明装置から幅方向へ突出する。したがって、線状照明装置の設置領域の幅が増加する可能性があった。
【０００５】
本発明は上記課題に鑑みてなされたものであり、その目的は照明器具の設置領域の幅の増加を抑制することができる照明器具、取付金具および取付金具セットを提供することにある。
【課題を解決するための手段】
【０００６】
本願に開示する照明器具は、光源部と、筐体と、取付金具とを備える。前記筐体は、前記光源部を保持する。前記筐体には、内周面に一対の突起部が形成されている。前記取付金具は、前記筐体を取付対象物に取り付ける。前記取付金具は、一対の係合部と、接続部とを有する。前記一対の係合部は、弾性変形可能である。前記接続部は、前記一対の係合部と接続する。前記筐体は前記取付金具に対して着脱可能である。前記筐体を前記取付金具から離脱する際、前記一対の係合部は前記一対の突起部に押されて弾性変形する。前記接続部には少なくとも１つの貫通孔が形成されている。前記貫通孔は、対角線上に配置される一対の貫通孔を含む。
【０００７】
本願に開示する照明器具において、前記一対の係合部のそれぞれは、起立部と、突出部と、折返し部とを有することが好ましい。前記起立部は、前記接続部から起立することが好ましい。前記突出部は、前記起立部と接続することが好ましい。前記折返し部は、前記突出部と接続することが好ましい。一対の前記突出部は、互いに離れる方向に前記起立部から前記折返し部に向けて延びていることが好ましい。一対の前記折返し部は、互いに近づく方向に前記突出部から延びていることが好ましい。前記筐体が前記取付金具に取り付けられている取付状態において、前記折返し部は前記突起部に接触することが好ましい。
【０００８】
本願に開示する照明器具において、前記接続部と一方の前記起立部との交線と、前記接続部と他方の前記起立部との交線との間隔は、前記一対の突起部の間隔よりも短いことが好ましい。一方の前記突出部と一方の前記折返し部との交線と、他方の前記突出部と他方の前記折返し部との交線との間隔は、前記一対の突起部の間隔よりも長いことが好ましい。
【００１１】
本願に開示する照明器具において、前記係合部には開口が形成されていることが好ましい。
【００１２】
本願に開示する照明器具において、前記接続部には切欠きが形成されていることが好ましい。
【００１３】
本願に開示する照明器具において、前記筐体に取り付けるための前記取付金具を前記取付対象物へ取り付ける追加取付金具をさらに備えることが好ましい。前記追加取付金具は、第１固定部と、第２固定部と、補助起立部と、傾斜部とを有することが好ましい。前記第１固定部は、前記取付対象物に固定可能であることが好ましい。前記第２固定部は、前記取付対象物に固定可能であることが好ましい。前記補助起立部は、前記第２固定部から起立することが好ましい。前記傾斜部は、前記第１固定部および前記補助起立部と接続することが好ましい。前記傾斜部は、前記第１固定部に対して傾斜していることが好ましい。前記取付金具は、前記傾斜部に取り付けられることが好ましい。
【００１４】
本願に開示する照明器具において、前記追加取付金具の前記傾斜部は、少なくとも１つの突起を有することが好ましい。前記取付金具の前記接続部は、前記少なくとも１つの突起に嵌合する嵌合孔を有することが好ましい。
【００１５】
本願に開示する照明器具において、前記取付金具の前記接続部は、少なくとも１つの突起を有することが好ましい。前記追加取付金具の前記傾斜部は、前記少なくとも１つの突起に嵌合する嵌合孔を有することが好ましい。
【００１６】
本願に開示する取付金具は、内周面に一対の突起部が形成された筐体を有する照明器具を取付対象物に取り付ける取付金具である。前記取付金具は、一対の係合部と、接続部とを備える。前記一対の係合部は、弾性変形可能である。前記接続部は、前記一対の係合部と接続する。前記筐体に対して着脱可能である。前記筐体から離脱する際、前記係合部は前記突起部に押されて弾性変形する。前記接続部には少なくとも１つの貫通孔が形成されている。前記貫通孔は、対角線上に配置される一対の貫通孔を含む。
【００１７】
本願に開示する取付金具セットは、内周面に一対の突起部が形成された筐体を有する照明器具を取付対象物に取り付ける取付金具セットである。前記取付金具セットは、取付金具と、追加取付金具とを備える。前記取付金具は、一対の係合部と、接続部とを有する。前記一対の係合部は、弾性変形可能である。前記接続部は、前記一対の係合部と接続する。前記追加取付金具は、第１固定部と、第２固定部と、補助起立部と、傾斜部とを有する。前記第１固定部は、前記取付対象物に固定可能である。前記第２固定部は、前記取付対象物に固定可能である。前記補助起立部は、前記第２固定部から起立する。前記傾斜部は、前記第１固定部および前記補助起立部と接続する。前記傾斜部は、前記第１固定部に対して傾斜している。前記筐体は前記取付金具に対して着脱可能である。前記筐体を前記取付金具から離脱する際、前記係合部は前記突起部に押されて弾性変形する。前記取付金具は、前記傾斜部に取り付けられる。
【発明の効果】
【００１８】
本発明によれば、照明器具の設置領域の幅の増加を抑制することができる。
【図面の簡単な説明】
【００１９】
【図１】本発明の実施形態に係る照明器具の斜視図である。
【図２】（ａ）は、図１のＩＩａ−ＩＩａ線に沿った断面図である。（ｂ）は、図２（ａ）のＩＩｂ−ＩＩｂ線に沿った断面図である。
【図３】（ａ）は、本発明の実施形態に係る取付金具の斜視図である。（ｂ）は、本発明の実施形態に係る取付金具の断面図である。（ｃ）は本発明の実施形態に係る取付金具の上面図である。
【図４】（ａ）は、筐体の端部の分解斜視図である。（ｂ）は、筐体の端部の斜視図である。
【図５】（ａ）は、本発明の実施形態に係る照明器具の上面図である。（ｂ）は、本発明の実施形態に係る照明器具の底面図である。
【図６】本発明の実施形態に係る取付金具の上面図である。
【図７】（ａ）は、本発明の実施形態に係る追加取付金具の斜視図である。（ｂ）は、本発明の実施形態に係る取付金具セットの斜視図である。
【図８】本発明の実施形態に係る照明器具の断面図である。
【発明を実施するための形態】
【００２０】
以下、本発明の実施形態について、図面を参照しながら説明する。なお、図中、同一または相当部分については同一の参照符号を付して説明を繰り返さない。
【００２１】
図１および図２を参照して、本発明の実施形態に係る照明器具１００について説明する。図１は、本発明の実施形態に係る照明器具１００の斜視図である。図２（ａ）は、図１のＩＩａ−ＩＩａ線に沿った断面図である。図２（ｂ）は、図２（ａ）のＩＩｂ−ＩＩｂ線に沿った断面図である。図２（ａ）および図２（ｂ）において、Ｘ軸およびＹ軸は水平方向に沿っており、Ｙ軸は照明器具１００の長手方向に沿っており、Ｚ軸は鉛直方向に沿っており、Ｘ軸、Ｙ軸、およびＺ軸は互いに直交する。
【００２２】
照明器具１００は、光源部１０と、筐体２０と、取付金具３０とを備える。照明器具１００は、さらに、セード１４、端子台１５、点灯装置１６および端部セード５０を備える。照明器具１００は、例えば、間接照明である。照明器具１００は、取付対象物Ｗに取り付けられる。取付対象物Ｗは、例えば、床面、壁面または天井である。本実施形態では、取付対象物Ｗは、床面である。
【００２３】
筐体２０は、本体部２１および底板部６１を有する。本体部２１は、断面形状が略Ｈ字型である。本体部２１は、熱伝導性を有するアルミニウムのような金属素材の押し出し材で形成されている。本体部２１は、横板部２２と、側板部２３とを有する。側板部２３は、横板部２２の短手方向の両側に形成される。本体部２１の横板部２２の上方は開放されており、開放部２７を形成している。本体部２１の横板部２２の下方は開放されており、開放部２８を形成している。本体部２１の横板部２２の長手方向の両端部も開放されている。側板部２３の上部には、上部溝部２４が対向して形成される。上部溝部２４は、セード１４を差し込んで保持させる。側板部２３の内周面２９の下部には、一対の突起部４０が形成されている。一対の突起部４０は対向している。一対の突起部４０には、取付金具３０が取り付けられる。さらに、一対の突起部４０の上面は、底板部６１を保持する。横板部２２の下部の両側には、端部セード５０をネジ５３で取り付けるためのネジ取付け部２６が形成されている。
【００２４】
図２（ａ）に示すように、底板部６１は、本体部２１の下部の開放部２８の一部を閉塞するものである。底板部６１は金属の板金部材で形成されている。底板部６１は本体部２１の下方に被せて一対の突起部４０の上面に当接させる。底板部６１の長手方向の両端部は折り曲げられている。底板部６１は、ネジ６２で本体部２１の横板部２２に固定される。底板部６１は、本体部２１の長手方向の長さよりも短い。底板部６１は、本体部２１に取り付けられた状態で、本体部２１の下部の開放部２８のうち、長手方向の両端側は閉塞せずに開放された状態となる。したがって、本体部２１の両端部の開放部２８に、電源線または送り線を挿通させることができる。
【００２５】
光源部１０は、基板８１および点光源としての複数のＬＥＤ素子８２を有する。光源部１０は、本体部２１の横板部２２の上部に配置されている。隣接するＬＥＤ素子８２の距離が略等間隔になるように、複数のＬＥＤ素子８２は配置される。
【００２６】
セード１４は、本体部２１の上部の開放部２７を閉塞する。セード１４は、光源部１０からの光を透過させて、照射面を形成する部材である。セード１４は、例えば、透光性を有する半透明のアクリル系樹脂素材で形成される。セード１４は、本体部２１の上部溝部２４の長手方向の端部から差し込んで保持される。
【００２７】
端子台１５は、外部電源からの電源線、または隣接する照明器具１００からの送り線の端子が差込口に差し込まれて電気的に接続される。端子台１５は、本体部２１の横板部２２の下部において、本体部２１の一端に設けられる。端子台１５の差込口は本体部２１の端部側に向けられている。
【００２８】
点灯装置１６と光源部１０とは、電線（図示せず）を介して電気的に接続される。点灯装置１６は、光源部１０のＬＥＤ素子８２を点灯させる。点灯装置１６は、本体部２１の横板部２２の下部に配置されている。点灯装置１６は、端子台１５と電線（図示せず）によって電気的に接続されている。
【００２９】
取付金具３０は、筐体２０を取付対象物Ｗに取り付けるための部品である。取付金具３０は、筐体２０の長手方向の両端部に取り付けられる。なお、取付金具３０の取付金具３０の取付位置は、両端部に限らない。一対の突起部４０が形成されていれば、取付金具３０は、任意の場所に取りけられてもよい。例えば、筐体２０の長手方向の中央部に取り付けられてもよい。取付金具３０は、金属の板金部材で形成されている。取付金具３０は、弾性変形可能である。取付金具３０は、一対の突起部４０に係合可能である。取付金具３０は、接続部３１と、係合部３２ａと、係合部３２ｂとを有する。接続部３１は、係合部３２ａと、係合部３２ｂとを接続する。係合部３２ａおよび係合部３２ｂは、弾性変形可能である。
【００３０】
端部セード５０は、筐体２０の両端部に設けられる。端部セード５０は、例えば、セード１４と同じ素材で形成される。端部セード５０は、例えば、透光性を有する半透明のアクリル系樹脂素材で形成される。したがって、光源部１０から照射される光が遮られない。なお、端部セード５０は、遮光する材料で形成されていてもよい。
【００３１】
筐体２０は、取付金具３０に対して着脱可能である。筐体２０を取付金具３０から離脱する際、係合部３２ａおよび係合部３２ｂは突起部４０に押されて矢印Ｄ１に示す方向に弾性変形する。したがって、取付金具３０から筐体２０を容易に取り外すことができる。
【００３２】
図２および図３を参照して、本発明の実施形態に係る取付金具３０について説明する。図３（ａ）は、本発明の実施形態に係る取付金具３０の斜視図である。図３（ｂ）は、本発明の実施形態に係る取付金具３０の断面図である。図３（ｃ）は本発明の実施形態に係る取付金具３０の上面図である。取付金具３０は、接続部３１と、係合部３２ａと、係合部３２ｂとを有する。
【００３３】
接続部３１には、貫通孔３６が形成されている。貫通孔３６は、接続部３１の中央に設けられる。貫通孔３６にネジを挿入することによって、取付金具３０は、取付対象物Ｗへ取り付けられる。
【００３４】
接続部３１は、例えば平坦状である。接続部３１を平坦状とすることにより、取付金具３０を取付対象物Ｗの表面に取り付けた際に、取付金具３０およびそれに取り付けられる照明器具１００の姿勢が安定するため、好ましい。接続部３１には、切欠き３７ａおよび切欠き３７ｂが形成されている。切欠き３７ａおよび切欠き３７ｂは、接続部３１の辺のうち係合部３２ａおよび係合部３２ｂが接続されていない接続部３１の辺に形成される。切欠き３７ａおよび切欠き３７ｂは対向して形成される。例えば、取付対象物Ｗに２つの取付金具３０を配置する際、２つの取付金具３０の切欠き３７ａおよび切欠き３７ｂを、取付対象物Ｗの基準線に合わせることによって、２つの取付金具３０を平行に配置することができる。
【００３５】
接続部３１は、嵌合孔３９ａおよび嵌合孔３９ｂを有する。嵌合孔３９ａおよび嵌合孔３９ｂについては、図７を参照して後述する。
【００３６】
係合部３２ａは、起立部３３ａと、突出部３４ａと、折返し部３５ａとを有する。起立部３３ａは、接続部３１から略直交方向へ起立する。突出部３４ａは、起立部３３ａと接続する。折返し部３５ａは、突出部３４ａと接続する。
【００３７】
同様に、係合部３２ｂは、起立部３３ｂと、突出部３４ｂと、折返し部３５ｂとを有する。起立部３３ｂは、接続部３１から略直交方向へ起立する。突出部３４ｂは、起立部３３ｂと接続する。折返し部３５ｂは、突出部３４ｂと接続する。
【００３８】
突出部３４ａと、突出部３４ｂとは互いに離れる方向に起立部３３ａおよび起立部３３ｂから折返し部３５ａおよび折返し部３５ｂに向けて延びている。折返し部３５ａと、折返し部３５ｂとは互いに近づく方向に突出部３４ａおよび突出部３４ｂから延びている。筐体２０が取付金具３０に取り付けられている状態（以下、取付状態と記載する。）において、折返し部３５ａおよび折返し部３５ｂは筐体２０の突起部４０に接触する（図２（ｂ）参照）。したがって、取付状態から筐体２０を取り外す際、筐体２０の突起部４０が、突出部３４ａおよび突出部３４ｂに引っかからない。その結果、取付金具３０から筐体２０を容易に取り外すことができる。
【００３９】
係合部３２ａには、開口３８ａが形成されている。係合部３２ｂには、開口３８ｂが形成されている。したがって、係合部３２ａおよび係合部３２ｂの弾性力を適正に低下させることができる。その結果、取付金具３０への筐体２０の取り付けおよび取付金具３０からの筐体２０の取り外しを円滑に行うことができる。係合部３２ａおよび係合部３２ｂに対する、開口３８ａおよび開口３８ｂの面積の割合を調整することによって、係合部３２ａおよび係合部３２ｂの弾性力を調整することができる。例えば、係合部３２ａに対する開口３８ａの面積の割合を小さくすると係合部３２ａの弾性力が高く（係合部３２ａが硬く）なり、係合部３２ａに対する開口３８ａの面積の割合を大きくすると係合部３２ａの弾性力が低く（係合部３２ａが柔らかく）なる。本実施形態では、開口３８ａと嵌合孔３９ａとはつながっている。また、開口３８ｂと嵌合孔３９ｂとはつながっている。
【００４０】
図２（ｂ）を参照して、取付金具３０の大きさと、一対の突起部４０の間隔との関係を説明する。図２（ｂ）において、間隔ｄ１は、交線９１ａと交線９１ｂとの間隔を示す。交線９１ａは、接続部３１と起立部３３ａとの交線を示す。交線９１ｂは、接続部３１と起立部３３ｂとの交線を示す。間隔ｄ２は、一対の突起部４０の間隔を示す。間隔ｄ３は、交線９２ａと交線９２ｂとの間隔を示す。交線９２ａは、突出部３４ａと折返し部３５ａとの交線を示す。交線９２ｂは、突出部３４ｂと折返し部３５ｂとの交線を示す。間隔ｄ４は、折返し部３５ａの先端３５ａ１と折返し部３５ｂの先端３５ｂ１との間隔を示す。
【００４１】
図２（ｂ）に示すように、間隔ｄ１は、間隔ｄ２よりも短い。間隔ｄ３は、間隔ｄ２よりも長い。したがって、取付状態において、係合部３２ａおよび係合部３２ｂは、弾性変形し一対の突起部４０に係合する。
【００４２】
また、間隔ｄ４は、間隔ｄ２よりも小さい。したがって、折返し部３５ａの先端３５ａ１と折返し部３５ｂの先端３５ｂ１とが、一対の突起部４０に引っかかることなく、取付金具３０から筐体２０を取り外すことができる。
【００４３】
図１〜図４を参照して、筐体２０の取付金具３０の取り付けについて説明する。図４（ａ）は、筐体２０の端部の分解斜視図である。図４（ｂ）は、筐体２０の端部の斜視図である。
【００４４】
図４（ｂ）に示すように、端部セード５０は、本体部５１と突出部５２とを有する。突出部５２は、本体部５１から突出する。突出部５２は、半円状である。端部セード５０の突出部５２の形状は、セード１４の形状に対応する。ネジ５３がネジ取付け部２６に取り付けられることによって、端部セード５０は筐体２０の本体部２１に取り付けられる。
【００４５】
まず、取付金具３０を取付対象物Ｗの任意の位置にネジ１９（図１参照）で固定する。取付金具３０の起立部３３ａと取付金具３０の接続部３１との交線９１ａが、配置する照明器具１００の筐体２０の長手方向（Ｙ方向）に向くように、取付金具３０は配置される。筐体２０を取付金具３０に対向させた状態から、筐体２０を取付金具３０に近づけることによって、筐体２０は取付金具３０に取り付けられる。詳しくは、まず、筐体２０と取付金具３０が離れている状態（図４（ａ）参照）から、取付金具３０の上方から筐体２０を接近させることによって、一対の突起部４０と取付金具３０の突出部３４ａおよび突出部３４ｂとが接触する。そして、筐体２０を下方へ変位させることで一対の突起部４０が突出部３４ａおよび突出部３４ｂを押して係合部３２ａおよび係合部３２ｂが矢印Ｄ１に示す方向（図２（ｂ）参照）へ弾性変形する。さらに筐体２０を下方へ変位させると、一対の突起部４０が交線９２ａおよび交線９２ｂを乗り越え、係合部３２ａおよび係合部３２ｂが弾性復帰力により矢印Ｄ１の反対方向へ変形する。そして、一対の突起部４０が折返し部３５ａおよび折返し部３５ｂに接触して取付が完了する（図４（ｂ）参照）。なお、図４（ａ）および図４（ｂ）において、ネジ１９は省略している。このように、筐体２０の突起部４０と、取付金具３０の係合部３２ａおよび係合部３２ｂとが接触し、係合部３２ａおよび係合部３２ｂが弾性変形することによって、筐体２０は取付金具３０に取り付けられる。図４（ｂ）に示すように、取付状態において、係合部３２ａおよび係合部３２ｂは突起部４０と係合する。係合部３２ａおよび係合部３２ｂは、弾性変形しているため元の形に戻ろうとする力が作用し、係合部３２ａおよび係合部３２ｂは突起部４０に強固に係合する。
【００４６】
次に、図１〜図４を参照して、筐体２０の取付金具３０からの取り外しについて説明する。まず、筐体２０と取付金具３０が取り付けられている状態（図４（ｂ）参照）から、筐体２０を上方へ変位させることで、一対の突起部４０が折返し部３５ａおよび折返し部３５ｂを押して係合部３２ａおよび係合部３２ｂが矢印Ｄ１に示す方向（図２（ｂ）参照）へ弾性変形する。さらに、筐体２０を上方へ変位させ一対の突起部４０が交線９２ａおよび交線９２ｂを乗り越える。そして、係合部３２ａおよび係合部３２ｂの一対の突起部４０への係合が解除されることによって、筐体２０の取付金具３０の取り外しが完了する（図４（ａ）参照）。このように、筐体２０を取付金具３０から離脱する際、筐体２０を取付金具３０の上方へ向かって変位させることで、係合部３２は一対の突起部４０に押されて弾性変形する。したがって、筐体２０を取付金具３０から容易および円滑に取り外すことができる。
【００４７】
図５（ａ）および図５（ｂ）を参照して、本発明の実施形態に係る照明器具１００について説明する。図５（ａ）は、本発明の実施形態に係る照明器具１００の上面図である。図５（ｂ）は、本発明の実施形態に係る照明器具１００の底面図である。
【００４８】
図５（ａ）および図５（ｂ）に示すように、取付状態において、取付金具３０は筐体２０の長手方向（Ｙ方向）および幅方向（Ｘ方向）に突出することなく開放部２８内に収まっている。したがって、照明器具１００の取付空間が十分に確保できない場合でもあっても、照明器具１００を取付対象物Ｗに取り付けることができる。すなわち、取付対象物Ｗにおいて照明器具１００の周囲に空間がほとんど無い場合であっても、照明器具１００を取付対象物Ｗに取り付けることができる。
【００４９】
以上、図１〜図５を参照して説明したように、照明器具１００において、取付金具３０の一対の係合部（係合部３２ａおよび係合部３２ｂ）は、筐体２０の内周面２９に形成された一対の突起部４０に係合する。したがって、照明器具１００の設置領域の幅の増加を抑制することができる。
【００５０】
また、筐体２０を取付金具３０から離脱する際、筐体２０を取付金具３０の上方へ向かって変位させることで、係合部３２は一対の突起部４０に押されて弾性変形する。したがって、筐体２０を取付金具３０から円滑に取り外すことができる。
【００５１】
また、取付状態において、折返し部３５ａおよび３５ｂは筐体２０の突起部４０に接触する。また、折返し部３５ａの先端３５ａ１と折返し部３５ｂの先端３５ｂ１との間隔ｄ４は、一対の突起部４０の間隔ｄ２よりも短い。したがって、取付状態から筐体２０を取り外す際、筐体２０の突起部４０が、突出部３４ａおよび突出部３４ｂに引っかからない。その結果、取付金具３０から筐体２０を容易に取り外すことができる。
【００５２】
また、接続部３１と一方の起立部３３ａとの交線９１ａと、接続部３１と他方の起立部３３ｂとの交線９１ｂとの間隔ｄ１は、一対の突起部４０の間隔ｄ２よりも短い。また、一方の突出部３４ａと一方の折返し部３５ａとの交線９２ａと、他方の突出部３４ｂと他方の折返し部３５ｂとの交線との間隔ｄ３は、一対の突起部４０の間隔ｄ２よりも長い。したがって、取付状態において、係合部３２ａおよび係合部３２ｂは、弾性変形し一対の突起部４０に係合する。
【００５３】
また、係合部３２には、開口３８ａおよび開口３８ｂが形成されている。したがって、係合部３２の弾性力を適正に低下させることができる。その結果、取付金具３０への筐体２０の取り付けおよび取付金具３０からの筐体２０の取り外しを円滑に行うことができる。
【００５４】
また、接続部３１には、切欠き３７ａおよび切欠き３７ｂが形成されている。取付対象物Ｗに複数の取付金具３０を配置する際、複数の取付金具３０の切欠き３７ａおよび切欠き３７ｂを、取付対象物Ｗの基準線に合わせることによって、複数の取付金具３０を平行に配置することができる。
【００５５】
図６を参照して、本発明の実施形態に係る取付金具３０について説明する。図６は、本発明の実施形態に係る取付金具３０の上面図である。接続部３１が、貫通孔３６を２つ有する点を除いて図３を参照して説明した取付金具３０と同様な構成を有するため、重複部分については説明を省略する。
【００５６】
取付金具３０は、接続部３１と、係合部３２ａと、係合部３２ｂとを有する。接続部３１には、貫通孔３６ａおよび貫通孔３６ｂが形成されている。貫通孔３６ａおよび貫通孔３６ｂは、接続部３１の対角線上に配置される。したがって、貫通孔３６ａおよび貫通孔３６ｂにネジを挿入して、取付金具３０を取付対象物Ｗに取り付けた際、接続部３１が取付対象物Ｗから浮き上がるのを抑制することができる。特に、天井面に照明器具１００を取り付ける場合などのように、照明器具１００の重さが取付金具３０にかかる場合に、接続部３１の変形を抑えることができる。その結果、取付金具３０を取付対象物Ｗに強固に固定することができる。
【００５７】
図７および図８を参照して、本発明の別の実施形態に係る照明器具１００について説明する。図７（ａ）は、本発明の実施形態に係る追加取付金具７０の斜視図である。図７（ｂ）は、本発明の実施形態に係る取付金具セット８０の斜視図である。
【００５８】
図７（ａ）に示すように、追加取付金具７０は、第１固定部７１と、第２固定部７２と、補助起立部７３と、傾斜部７４とを有する。図７（ｂ）に示すように、取付金具セット８０は、取付金具３０と、追加取付金具７０とを有する。追加取付金具７０は、金属の板金部材で形成されている。追加取付金具７０は、取付金具３０を取付対象物Ｗに取り付ける。取付金具３０は照明器具１００の筐体２０に取り付け可能である。
【００５９】
第１固定部７１は、例えば平坦状である。第１固定部７１を平坦状とすることにより、追加取付金具７０を取付対象物Ｗの表面に取り付けた際に追加取付金具７０およびそれに取り付けられる照明器具１００の姿勢が安定するため、好ましい。第１固定部７１は、取付対象物Ｗに固定可能である。第１固定部７１には、貫通孔７７、切欠き７８ａおよび切欠き７８ｂが形成されている。貫通孔７７は、第１固定部７１の中央に設けられる。貫通孔７７にネジを挿入することによって、追加取付金具７０は、取付対象物Ｗへ取り付けられる。
【００６０】
切欠き７８ａおよび切欠き７８ｂは、第１固定部７１の端部に配置される。切欠き７８ａおよび切欠き７８ｂは対向して配置される。取付対象物Ｗに複数の追加取付金具７０を配置する際、複数の追加取付金具７０の切欠き７８ａおよび切欠き７８ｂを、取付対象物Ｗの基準線に合わせることによって、複数の追加取付金具７０を平行に配置することができる。
【００６１】
第２固定部７２は、例えば平坦状である。第２固定部７２を平坦状とすることにより、追加取付金具７０を取付対象物Ｗの表面に取り付けた際に追加取付金具７０およびそれに取り付けられる照明器具１００の姿勢が安定するため、好ましい。第２固定部７２は、取付対象物Ｗに固定可能である。第２固定部７２は、ネジを挿通させるための貫通孔を設けてもよい。補助起立部７３は、第２固定部７２から起立する。第２固定部７２と補助起立部７３とは略直交している。
【００６２】
傾斜部７４は、第１固定部７１および補助起立部７３と接続する。傾斜部７４は、第１固定部７１に対して傾斜している。第１固定部７１に対する傾斜部７４の角度は、例えば４５度である。傾斜部７４には、貫通孔７５が形成されている。図７（ｂ）に示すように、取付金具３０の貫通孔３６と、追加取付金具７０の貫通孔７５とにネジ６３を挿入することによって、取付金具３０は、傾斜部７４に取り付けられる。
【００６３】
傾斜部７４は、突起７６ａおよび突起７６ｂを有する。取付金具３０を追加取付金具７０に取り付けた際、突起７６ａは、取付金具３０の嵌合孔３９ａに嵌合する。また、取付金具３０を追加取付金具７０に取り付けた際、突起７６ｂは、取付金具３０の嵌合孔３９ｂに嵌合する。したがって、取付金具３０が追加取付金具７０に対してネジ６３を中心に回転することを抑制することができる。なお、取付金具３０の接続部３１が突起７６ａおよび突起７６ｂを有し、追加取付金具７０の傾斜部７４が嵌合孔３９ａおよび嵌合孔３９ｂを有するようにしてもよい。
【００６４】
図８は、本発明の実施形態に係る照明器具１００の断面図である。図８に示すように、追加取付金具７０が傾斜部７４を有している。したがって、照明器具１００の筐体２０を取付金具３０に取り付けた際、筐体２０は取付対象物Ｗに対して、照明器具１００を傾斜して配置することができる。また、傾斜部７４の傾斜角度を変更することによって、取付対象物Ｗに対する照明器具１００の角度を変更できる。その結果、所望の角度に照明器具１００の光を照射させることができる。
【００６５】
照明器具１００の取付対象物Ｗへの取り付けについて説明する。まず、追加取付金具７０に取付金具３０を取り付ける。取付金具３０は、ネジ６３とナット６４とによって取り付けられる。そして、取付金具３０が取り付けられた追加取付金具７０（すなわち、取付金具セット８０）を、取付対象物Ｗの任意の位置にネジで固定する。そして、図４を参照して説明した取り付け方法と同じようにして、筐体２０を取付金具セット８０に取り付ける。このようにして、照明器具１００は、取付対象物Ｗへ取り付けられる。なお、取付金具３０は、ネジ６３のみを使用して追加取付金具７０に取り付けられる構成としてもよい。
【００６６】
以上、図面（図１〜図８）を参照しながら本発明の実施形態を説明した。但し、本発明は、上記の実施形態に限られるものではなく、その要旨を逸脱しない範囲で種々の態様において実施することが可能である（例えば、下記に示す（１）〜（７））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６７】
（１）図１〜図８を参照して説明したように、本実施形態では、光源としてＬＥＤ素子８２を用いたが、これに限定されない。例えば、光源として、蛍光灯または蛍光灯型のＬＥＤ光源を用いてもよい。
【００６８】
（２）図３および図６を参照して説明したように、本実施形態では、取付金具３０の接続部３１には貫通孔３６が１つ、または２つ形成されていたが、これに限定されない。取付金具３０の接続部３１には貫通孔３６が３つ以上形成されていてもよい。例えば、取付金具３０の接続部３１の４隅に４つの貫通孔３６が形成されてもよい。
【００６９】
（３）図１〜図８を参照して説明したように、本実施形態では、取付金具３０の係合部３２ａおよび３２ｂには開口３８ａおよび３８ｂが形成されていたが、これに限定されない。取付金具３０の係合部３２ａおよび３２ｂには開口３８ａおよび３８ｂが形成されていなくてもよい。
【００７０】
（４）図１〜図８を参照して説明したように、本実施形態では、接続部３１の開口３８ａおよび３８ｂと嵌合孔３９ａおよび３９ｂとはつながっていたが、これに限定されない。開口３８ａおよび３８ｂと嵌合孔３９ａおよび３９ｂとは分離されていてもよい。
【００７１】
（５）図１〜図８を参照して説明したように、本実施形態では、取付金具３０の接続部３１には切欠き３７ａおよび３７ｂが形成されていたが、これに限定されない。取付金具３０の接続部３１には切欠き３７ａおよび３７ｂが形成されていなくてもよい。
【００７２】
（６）図１〜図８を参照して説明したように、本実施形態では、接続部３１は平坦状であったが、これに限定されない。例えば、接続部３１は、凹凸を有する形状であってもよい。
【００７３】
（７）図７〜図８を参照して説明したように、本実施形態では、第１固定部７１および第２固定部７２は平坦状であったが、これに限定されない。例えば、第１固定部７１および第２固定部７２は、凹凸を有する形状であってもよい。
【符号の説明】
【００７４】
１０    光源部
２０    筐体
２９    内周面
３０    取付金具
３１    接続部
３２、３２ａ、３２ｂ  係合部
３３ａ、３３ｂ        起立部
３４ａ、３４ｂ        突出部
３５、３５ａ、３５ｂ  折返し部
３６、３６ａ、３６ｂ  貫通孔
３７、３７ａ、３７ｂ  切欠き
３８、３８ａ、３８ｂ  開口
３９、３９ａ、３９ｂ  嵌合孔
４０    突起部
７０    追加取付金具
７１    第１固定部
７２    第２固定部
７３    補助起立部
７４    傾斜部
７５    貫通孔
７６ａ  突起
７６ｂ  突起
８０    取付金具セット
９１ａ、９１ｂ、９２ａ、９２ｂ  交線
１００  照明器具
Ｗ      取付対象物
【図１】
0006529816.tif 000002
【図２】
0006529816.tif 000003
【図３】
0006529816.tif 000004
【図４】
0006529816.tif 000005
【図５】
0006529816.tif 000006
【図６】
0006529816.tif 000007
【図７】
0006529816.tif 000008
【図８】
0006529816.tif 000009